(57)【要約】【課題】  ノンシリコンタイプのシャンプーやリンスなど、内容液の粘度のより高いものを収容した容器本体内に装着されポンプディスペンサーにおいて、内容液の残量が少なくなったときにおいても；内容液を殆ど残すことなく、ほぼ全量を使い切ることのできるポンプディスペンサーと、これを容器本体内に装着してなる容器と、を提供すること。【解決手段】  内容液の収容された容器本体Ｙ内に装着されるポンプディスペンサーＸであって、ノズルヘッド１のポンピングに連動した上下往復運動を行う機構を備えると共に、上下往復運動を行いつつ、上下往復運動を回転運動に変換する運動変換機構を併せて備えたピストン部Ｘ１と；運動変換機構によって回転力を与えられた吸上げ管１０と；を有し、吸上げ管１０を容器本体Ｙの内壁側に向かう曲線状に形成したことを特徴とする、ポンプディスペンサーＸと：これを容器本体Ｙ内に装着してなる容器と：を提供する。【選択図】  図１
2018118774.tif 000002
【特許請求の範囲】
【請求項１】
内容液の収容された容器本体内に装着されるポンプディスペンサーであって、
ノズルヘッドのポンピングに連動した上下往復運動を行う機構を備えると共に、前記上下往復運動を行いつつ、前記上下往復運動を回転運動に変換する運動変換機構を併せて備えたピストン部と；
前記運動変換機構によって回転力を与えられた吸上げ管と；
を有し、
前記吸上げ管を容器本体の内壁側に向かう曲線状に形成したことを特徴とする、ポンプディスペンサー。
【請求項２】
前記運動変換機構が、主として、
ストッパーと上カムとリングとピストン兼カムフォロワーと下カムとから構成されるピストン部における、前記ピストン兼カムフォロワーの周面に設けられてカムフォロワー動作を行う突起と；
前記突起が嵌合し、回転移動できるカム溝と；
からなる、請求項１に記載のポンプディスペンサー。
【請求項３】
カム溝が、上カムに設けられている切り欠きと、下カムに設けられている切り欠きとの間に形成されたものであって、ピストン兼カムフォロワーの周面に設けられている突起が嵌合し、回転移動できるものである、請求項２に記載のポンプディスペンサー。
【請求項４】
請求項１乃至３のいずれかに記載のポンプディスペンサーを、容器本体内に装着してなる容器。
【発明の詳細な説明】
【技術分野】
【０００１】
本発明は、容器本体内に装着されるポンプディスペンサーと；これを容器本体内に装着してなる容器と；に関し、詳しくは、いかなる粘度の内容液の場合においても、特に高粘度の内容液を容器本体に収容した場合などにおいて、容器本体の内容液の残量が少なくなったときでも、内容液を殆ど残すことなく、ほぼ全量を使い切ることのできる、プッシュタイプのポンプディスペンサーと；これを容器本体内に装着してなる容器と；に関する。
【背景技術】
【０００２】
以前から、シャンプーやリンスやコンディショナーなど、内容液の粘度が比較的高いものを収容した、ポンプディスペンサー付きの容器（ボトル）が多く市販されている。
このような場合、内容液の残量が少なくなってきたときに、何度もポンプディスペンサーのノズルヘッドをポンピングする動作を行っても、内容液の吐出が行われにくくなり、まだ何回かの使用には十分な残量であるにもかかわらず、内容液が吐出されなくなってしまうという現象がよく見られる。
【０００３】
このため、これを解決することが要望されており、例えば、ポンプディスペンサーの下端に備えられているディップチューブ（吸上げ管）の先端を広がるような形状としたポンプディスペンサーが提案されている（特許文献１参照）。
【０００４】
このポンプディスペンサーによれば、シャンプーやリンスなど、内容液の粘度が比較的高いものに対しては、改善が見られた。
しかしながら、現在では、シャンプーやリンスやコンディショナーなどで、ノンシリコンタイプのものなど、以前より内容液の粘度がより高いものを収容した、ポンプディスペンサー付きの容器（ボトル）が主流となってきており、このようなものの場合には、必ずしも十分なものとは言えないものであった。
また、特に容器本体の底の中央部が盛り上がっている構造のものの場合、高粘度の内容液が収容されていると、盛り上がっている中央部より低くなっている容器底部周辺部（隅角部）にどうしても内容液が残りやすく、特許文献１に記載されているような形状のポンプディスペンサーをはじめ、従来のポンプディスペンサーでは、いくらポンピングしても、この部分に残った内容液を吸い上げきれなかったりして、取り残しが出るという問題もあった。
【先行技術文献】
【特許文献】
【０００５】
【特許文献１】特表２０１２−５３２８０９
【発明の概要】
【発明が解決しようとする課題】
【０００６】
本発明は、上記従来の問題点を解消し、いかなる内容液の場合においても、特に例えばシャンプーやリンスやコンディショナーなどで、ノンシリコンタイプのものなど、内容液の粘度のより高い高粘度のものを収容した容器本体に装着するポンプディスペンサーにおいて、内容液の残量が少なくなったときでも、内容液を殆ど残すことなく吸い上げ、ほぼ全量を使い切ることのできるポンプディスペンサーと；これを容器本体内に装着してなる容器と；を提供することを目的とするものである。
【課題を解決するための手段】
【０００７】
本発明者らは、上記従来の問題点を解消するために、まず上記のような現象がどうして生じるか、粘度の高いコンディショナーを透明のボトルに詰めて観察してみた。
内容液であるコンディショナーの残量が少なくなってくると、吸込んだ後に、そこに空隙乃至穴のようなものができ、上方から見ると、その空隙乃至穴は空いたまま、暫くそのままであった。
このように、空隙乃至穴のようなものができて、吸上げ管（ディップチューブ）の吸込み口付近に内容液が存在しないような状況で、いくらポンピングしても再度内容液を吸込むことは短時間ではできず、取り残しが出るような事象になったものと考えられた。
内容液の残量が多いときには、吸込み口が内容液の中にあるため、自重により空隙乃至穴は直ぐに埋まるが、液面上部に空隙乃至穴が空いてしまうと、粘度が勝って、空隙乃至穴が埋まるのに時間がかかっていたことが分かった。
【０００８】
本発明者らは、上記従来の問題点を解消するため、さらに検討を重ねた。
その過程で、吸込み口付近に空隙乃至穴ができるのであれば、新たに内容液が存在する場所へと吸込み口を移動させたら問題が解決できるのではないかと考えた。
ノズルヘッドのポンピングの際は、下方向へのヒトの力による作動と、内部に備えられているバネ（スプリング）の弾発力を利用した上方への移動による上下往復運動が行われ、この上下往復運動により、ピストンバルブ７の開閉動作を行い、内容液の吸い上げ、吐出が行われる。
稼動軸は同じなので、この軸の動きを、カム機構を用いて回転運動に変換してみた。
その際、吸上げ管（ディップチューブ）の吸込み口の先端は真下に伸ばすのではなく、容器本体の内壁側に向かうよう、曲線状に形成してみた。
すると、ポンピングの際の上下往復運動（スラスト移動）を、回転運動に変換し、これにより吸上げ管（ディップチューブ）を回転させ、吸込み口を新たな位置まで移動させることができるので、再度内容液を吸込むことができ、上記従来の問題点を解消できることが分かった。
本発明は、このような知見に基づいて完成されたものである。
【０００９】
本発明は、以下の（１）〜（３）に関するものである。
（１）：内容液の収容された容器本体内に装着されるポンプディスペンサーであって、
ノズルヘッドのポンピングに連動した上下往復運動を行う機構を備えると共に、前記上下往復運動を行いつつ、前記上下往復運動を回転運動に変換する運動変換機構を併せて備えたピストン部と；
前記運動変換機構によって回転力を与えられた吸上げ管と；
を有し、
前記吸上げ管を容器本体の内壁側に向かう曲線状に形成したことを特徴とする、ポンプディスペンサーに関するものである。
（２）：前記運動変換機構が、主として、
ストッパーと上カムとリングとピストン兼カムフォロワーと下カムとから構成されるピストン部における、前記ピストン兼カムフォロワーの周面に設けられてカムフォロワー動作を行う突起と；
前記突起が嵌合し、回転移動できるカム溝と；
からなる、前記（１）に記載のポンプディスペンサーに関するものである。
（３）：カム溝が、上カムに設けられている切り欠きと、下カムに設けられている切り欠きとの間に形成されたものであって、ピストン兼カムフォロワーの周面に設けられている突起が嵌合し、回転移動できるものである、前記（２）に記載のポンプディスペンサー。
（４）：前記（１）乃至（３）のいずれかに記載のポンプディスペンサーを、容器本体の口部に装着してなる容器。
【発明の効果】
【００１０】
本発明に係るポンプディスペンサーと；これを容器本体内に装着してなる容器と；によれば、ノズルヘッドのポンピングに連動して吸上げ管が回転し、内容液の残っているところへ随時移動できることから、いかなる粘度の内容液の場合においても、特にノンシリコンタイプのもののように高粘度の内容液を容器本体に収容した場合などにおいて、容器本体の内容液の残量が少なくなったときでも、内容液を殆ど残すことなく吸い上げ、効率よくほぼ全量を使い切ることができる。
このように、本発明に係るポンプディスペンサーと；これを容器本体内に装着してなる容器と；によれば、内容液を殆ど残すことなく、ほぼ全量を使い切ることができるため、残量がまだあるにもかかわらず廃棄されてしまうような無駄がなくなる。
従来のポンプディスペンサーの場合、残った内容液を使い切るためには、ポンプディスペンサーを容器本体から一旦取り外して、容器本体から直接、残った内容液を取り出すなどの必要があったが、本発明に係るポンプディスペンサーによれば、内容液を殆ど残すことなく吸い上げて、ほぼ全量を使い切ることができるため、このような煩わしさがなくなる。
特に、容器本体Ｙの底の中央部が盛り上がっている構造のものの場合、高粘度の内容液が収容されていると、盛り上がっている中央部より低くなっている容器底部周辺部（隅角部）にどうしても内容液が残りやすく、しかも周辺部における内容液の高さが直ぐには均等にならず、暫くの間、アンバランスになったままであることが生じるが、本発明は、このような底部形状を有する容器について好適に適用され、ノズルヘッドのポンピングに連動して吸上げ管が回転し、内容液の残っているところへ随時移動できることから、内容液を殆ど残すことなく吸い上げ、効率よくほぼ全量を使い切ることができる。
【図面の簡単な説明】
【００１１】
【図１】本発明に係るポンプディスペンサーの一実施形態を示す正面図である。
【図２】図１の分解説明図である。
【図３】図３（Ａ）は図１に示すノズルヘッドの正面図であり、図３（Ｂ）はその平面図であり、図３（Ｃ）はその底面図であり、図３（Ｄ）はその右側面図であり、図３（Ｅ）はその左側面図であり、図３（Ｆ）はその斜視図である。
【図４】図４（Ａ）は図１に示すストッパー（部）の正面図であり、図４（Ｂ）はその平面図であり、図４（Ｃ）はその底面図であり、図４（Ｄ）はその右側面図であり、図４（Ｅ）はその断面説明図であり、図４（Ｆ）はその斜視図である。
【図５】図５（Ａ）は図１に示す上カム（部）の正面図であり、図５（Ｂ）はその平面図であり、図５（Ｃ）はその底面図であり、図５（Ｄ）はその右側面図であり、図5（Ｅ）はその断面説明図（隠れ線図）であり、図５（Ｆ）はその斜視図である。
【図６】図６（Ａ）は図１に示すリング（部）の正面図であり、図６（Ｂ）はその平面図であり、図６（Ｃ）はその底面図であり、図６（Ｄ）はその右側面図であり、図６（Ｅ）はその断面説明図であり、図６（Ｆ）はその斜視図である。
【図７】図７（Ａ）は図１に示すカムフォロワー兼ピストンの正面図であり、図７（Ｂ）はその平面図であり、図７（Ｃ）はその底面図であり、図７（Ｄ）はその右側面図であり、図７（Ｅ）はその断面説明図であり、図７（Ｆ）はその斜視図である。
【図８】図８（Ａ）は図１に示す下カム（部）の正面図であり、図８（Ｂ）はその平面図であり、図８（Ｃ）はその底面図であり、図８（Ｄ）はその右側面図であり、図８（Ｅ）はその断面説明図であり、図８（Ｆ）はその斜視図である。
【図９】図９（Ａ）は図１に示すバルブの正面図であり、図９（Ｂ）はその平面図であり、図９（Ｃ）はその底面図であり、図９（Ｄ）はその右側面図であり、図９（Ｅ）はその断面説明図であり、図９（Ｆ）はその斜視図である。
【図１０】図１０（Ａ）は図１に示すシリンダの正面図であり、図１０（Ｂ）はその平面図であり、図１０（Ｃ）はその底面図であり、図１０（Ｄ）はその右側面図であり、図１０（Ｅ）はその断面説明図であり、図１０（Ｆ）はその斜視図である。
【図１１】図１１（Ａ）は図１に示すスプリングの正面図であり、図１１（Ｂ）はその平面図であり、図１１（Ｃ）はその底面図であり、図１１（Ｄ）はその右側面図であり、図１１（Ｅ）はその左側面図であり、図１１（Ｆ）はその斜視図である。
【図１２】図１２（Ａ）は図１に示す吸上げ管の正面図であり、図１２（Ｂ）はその平面図であり、図１２（Ｃ）はその底面図であり、図１２（Ｄ）はその右側面図であり、図１２（Ｅ）はその断面説明図であり、図１２（Ｆ）はその斜視図である。
【図１３】図１３（Ａ）は、キャップの一態様を示す正面図であり、図１３（Ｂ）はその平面図であり、図１３（Ｃ）はその底面図であり、図１３（Ｄ）はその右側面図であり、図１３（Ｅ）はその断面説明図である。
【図１４】図１４は、本発明に係るポンプディスペンサーを容器本体に装着した状態を示す正面図である。
【図１５】図１５は、本発明に係るポンプディスペンサーを容器本体に装着した状態を示す右側面図である。
【図１６】図１６は、図１５のＡ−Ａ線断面図である。
【図１７】図１７は、本発明に係るポンプディスペンサーを容器本体に装着した状態におけるピストン部Ｘ１（ストッパー２と上カム３とリング４とピストン兼カムフォロワー５と下カム６と、から構成されている）付近の部分拡大断面図である。
【図１８】図１８は、本発明に係るポンプディスペンサーＸを用いて、ノズルヘッド１のポンピングに連動した上下往復運動を行いつつ、この上下往復運動を回転運動に変換する状態を示す説明図である。図１８（Ａ）、図１８（Ｂ）、図１８（Ｃ）の順に、ノズルヘッド１を押し込んだ状態を示している。
【図１９】図１９は、本発明に係るポンプディスペンサーＸを用いて、ノズルヘッド１のポンピングに連動した上下往復運動を行いつつ、この上下往復運動を回転運動に変換する状態を示す説明図であって、図１８に続く状態が示されている。図１９（Ａ）は、図１８（Ｃ）に続く状態であって、図１９（Ａ）、図１９（Ｂ）、図１９（Ｃ）、図１９（Ｄ）の順に、図１８（Ａ）〜（Ｃ）のようにして押し込まれたノズルヘッド１が、次第に戻されている状態を示している。
【図２０】図２０（Ａ）は、先端部分を略スプーン状（匙状）に形成した吸上げ管１０の正面図であり、図２０（Ｂ）はその背面図であり、図２０（Ｃ）はその平面図であり、図２０（Ｄ）はその底面図であり、図２０（Ｅ）は右側面図であり、図２０（Ｆ）は左側面図である。
【図２１】キャップ２０を含めたポンプディスペンサーの実施形態を示す正面図である。
【図２２】図２１の分解説明図である。
【発明を実施するための形態】
【００１２】
本発明の第１は、ポンプディスペンサーに関し、内容液の収容された容器本体内に装着されるポンプディスペンサーであって、ノズルヘッドのポンピングに連動した上下往復運動を行う機構を備えると共に、前記上下往復運動を行いつつ、前記上下往復運動を回転運動に変換する運動変換機構を併せて備えたピストン部と；前記運動変換機構によって回転力を与えられた吸上げ管と；を有し、前記吸上げ管を容器本体の内壁側に向かう曲線状に形成したことを特徴とするものである。
【００１３】
ここでポンプディスペンサーとは、内容液の収容された容器本体内に装着され、ノズルヘッドのポンピングに連動してピストン部を上下往復運動させ、これにより内容液に圧を加えて、吸上げ管から内容液を吸上げ、ノズルヘッドから吐出させるものである。
本発明の第１は、このようなポンプディスペンサーに関するものである。
【００１４】
以下、本発明に係るポンプディスペンサーの一実施形態を図面に基づいて詳細に説明する。
図１は、本発明に係るポンプディスペンサーの一実施形態を示す正面図であり、図２はその分解説明図である。
但し、図面は、いずれも本発明に係るポンプディスペンサーを示す、いわば概略図である。従って、製品化に際しては、必要に応じて、適宜より実用的な設計をなすことができる。
【００１５】
図中、符号Ｘは本発明に係るポンプディスペンサーであり、このポンプディスペンサーＸは、図１４、図１５、図１６に示すように、内容液Ｌの収容された容器本体Ｙ内に装着される。より具体的には、ポンプディスペンサーＸは、容器本体Ｙの口部Ｙ１に取り付けられて、容器本体Ｙ内に装着される。
本実施形態において、ポンプディスペンサーＸは、管状、より詳しくは円筒管状をなしているが、本発明の精神を逸脱しない限り、必ずしもこれに限定されるものではなく、例えば角筒形や楕円筒型の管状のものとすることもできる。
【００１６】
容器本体Ｙとしては、本発明に係るポンプディスペンサーＸで吐出される内容液Ｌを収容可能なものであればよく、例えば、所定の形状に成形された中空状のボトルの他、可撓性素材により形成された袋状の容器などを挙げることができる。
なお、近時、容器の軽量化、薄肉化の要請に伴い、容器本体Ｙの底の中央部が盛り上がっている構造の容器が提供されているが、このように容器本体Ｙの底の中央部が盛り上がっている構造のものの場合、高粘度の内容液が収容されていると、盛り上がっている中央部より低くなっている容器底部周辺部（隅角部）にどうしても内容液が残りやすく、しかも周辺部における内容液の高さが直ぐには均等にならず、暫くの間、アンバランスになったままであることが生じる。
本発明では、吸上げ管１０が回転し、内容液の残っているところへ随時移動できることから、このような底部形状を有する容器について、特に好適に適用される。
【００１７】
また、内容液Ｌとしては、ポンプディスペンサーから吐出可能なものであればよく、狭義の液状（液体）のものの他、スラリー状やゲル状などのものも含む。内容液Ｌとして具体的には、シャンプーやリンスやコンディショナーなどの他、洗浄料、美容液、化粧液、保湿液などを挙げることができる。さらには、マヨネーズ、ケチャップ等のように粘性のある食品にも適用することが可能である。
本発明は、特にノンシリコンタイプのもののように、硬く、内容液の粘度のより高い高粘度のものについて、好適に適用される。
【００１８】
本発明に係るポンプディスペンサーＸは、ノズルヘッド１のポンピングに連動した上下往復運動を行う機構を備えると共に、前記上下往復運動を行いつつ、前記上下往復運動を回転運動に変換する運動変換機構を併せて備えたピストン部Ｘ１と；前記運動変換機構によって回転力を与えられた吸上げ管１０と；を有している。
【００１９】
本発明に係るポンプディスペンサーＸの最上端部には、図３（Ａ）〜（Ｆ）に示す如きノズルヘッド１が備えられている。
ノズルヘッド１は、内容液を吐出する吐出口（ノズル）１１を備えると共に、その頭部１２を押し下げポンピングするものであって、形状等において特に限定されるものではなく、通常のポンプディスペンサーに使用されているものを用いることができる。
内容液を吐出する吐出口１１（ノズル）の形状も特に限定されるものではないが、具体的には、例えば図示するような略嘴状のものとすることができる。
このノズルヘッド１の下側には、ピストン部Ｘ１が備えられている。
【００２０】
ピストン部Ｘ１は、ノズルヘッド１のポンピングに連動した上下往復運動を行う機構を備えると共に、前記上下往復運動を行いつつ、前記上下往復運動を回転運動に変換する運動変換機構を併せて備えたものである。
図２に示す分解説明図では、このピストン部Ｘ１は、上から順に、ストッパー２と、上カム３と、リング４と、ピストン兼カムフォロワー５と、下カム６と、から構成されている。但し、これらの部品の中には、別のある部品の内側に配設されているものもあるため、外見上は、つまり図１に示す正面図では、このとおりとはなっていない。
換言すれば、本発明に係るポンプディスペンサーＸにおいては、ストッパー２と、上カム３と、リング４と、ピストン兼カムフォロワー５と、下カム６と、が一体となって、全体としてピストン部Ｘ１を構成している。ストッパー２、上カム３、リング４、ピストン兼カムフォロワー５、下カム６は、いずれも円筒形状とされており（そしてピストン部Ｘ１全体としても円筒形をなしており）、この円筒の内部を、吸上げ管１０から吸上げられた内容液Ｌが吸い上げられつつ通過し、最終的にノズルヘッド１に設けられている吐出口（ノズル）１１から吐出されるようにされている。
【００２１】
ストッパー２は、ピストン部Ｘ１の最上部に配設されていて、その下側に配設されているリング４を抑えると共に、ピストン兼カムフォロワー５を固定して、本発明に係るポンプディスペンサーＸを固定一体化する役割を果たしている。
ストッパー２の形状は、図４に示すような形状としておくことが好ましいが、その下側に配設されているリング４を抑えると共に、ピストン兼カムフォロワー５を固定することができるものであれば、これに限定されるものではない。
【００２２】
図４では、ストッパー２は、薄い円筒状物の下側に、この円筒状物と同心に、この円筒よりも小ぶりの径でかつこれより厚めの円筒状物からなる凸部２２を設けつつ、その周縁部２３を垂下させた如き構造物としている。なお、この場合、前記小ぶりの径で厚めの円筒状物の高さは、この周縁部２３の垂下長さよりも大きくされていて、周縁部２３より突出するようにされている。
ストッパー２の内周面には、凸部２２の内面も含めて、後記するピストン兼カムフォロワー５の周面に設けられている突状風のリブ５２に嵌合する凹部２１が、３箇所、縦方向（上下方向）にわたり備えられており、ピストン兼カムフォロワー５の回転が規制されている。
さらに、ストッパー２の下側に設けられている凸部２２の周面の３箇所には、突状２４が備えられている。これにより、この部分の肉厚が均等となっている。
このため、ストッパー２により、ピストン兼カムフォロワー５が固定され、本発明に係るポンプディスペンサーＸが固定一体化される。
【００２３】
このストッパー２の上から、これをまたぐようにキャップ（ベースキャップ）２０が取り付けられ、これにより本発明に係るポンプディスペンサーＸは、容器本体Ｙの口部Ｙ１に取り付け固定されて、容器本体Ｙ内に装着されることになる。
キャップ（ベースキャップ）２０については、後記する。
【００２４】
ピストン兼カムフォロワー５は、図７に示すように、概ね上下方向に長い円筒形をなしており、その上端に備えられた細径部５３に、ノズルヘッド１が嵌合状態で取り付けられている。
ここで「ピストン兼カムフォロワー」としたのは、この部分が、ピストンとしての役割を果たすと同時に、カムフォロワー、つまりカムに追従する役割を果たす部分でもあるからである。
【００２５】
ピストン兼カムフォロワー５の上部が、ストッパー２と、上カム３と、リング４と、を通り越して、ピストン部Ｘ１の上端に配設されているため、このピストン兼カムフォロワー５の上端に備えられた細径部５３に、ポンピングをするノズルヘッド１が固定されている。従って、ノズルヘッド１とピストン兼カムフォロワー５とは、一体的に昇降可能となっている。
【００２６】
このピストン部Ｘ１の下側には、後記するように、ピストンバルブ７を包囲する形でシリンダ８が備えられており、このシリンダ８内において、ピストンバルブ７の下部にはスプリング９が配設されていることから、このスプリング９によって、ピストンバルブ７と、ピストン部Ｘ１のうちのピストン兼カムフォロワー５と、さらにノズルヘッド１とは、下側から弾発され、常に上方に付勢されている。
即ち、スプリング９が、ピストンバルブ７と、ピストン部Ｘ１のうちのピストン兼カムフォロワー５と、ノズルヘッド１とを、常に下側から弾発している。
従って、内容液Ｌを取り出すために、ノズルヘッド１を押下げた後に、その手を放すと、このスプリング９の弾性力により、ピストンバルブ７と、ピストン部Ｘ１のうちのピストン兼カムフォロワー５と、ノズルヘッド１との押上げ動作が行われる。
このため、ピストン部Ｘ１のうちのピストン兼カムフォロワー５は、ノズルヘッド１のポンピングに連動した上下往復運動を行うことになる。
なお、ピストン部Ｘ１のうちのピストン兼カムフォロワー５を除く部分、つまりストッパー２と、上カム３と、リング４と、下カム６とは、ノズルヘッド１のポンピングに連動した上下往復運動は行わない。その代わりに、これらのうち、嵌め殺し構造とされているストッパー２とリング４とを除く、上カム３と下カム６とは、後述するように、ピストン兼カムフォロワー５の周囲に設けられている突起５１を起点として、回転運動する。
【００２７】
ピストン兼カムフォロワー５の上下の周囲には、上下一対の上カム３と下カム６とが、それぞれ一定の間隔をおいて配設され、両者の間には、連続したおよそＮ字形の軌道溝（カム溝）が形成されるように構成されている。
【００２８】
なお、リング４が、上カム３を内接させており、詳しくはリング４の下側位置に上カム３を内接させている。
このため、分解説明図である図２では、上カム３と下カム６との間にリング４が置かれたようになっているが、本発明に係るポンプディスペンサーの一実施形態を示す正面図である図１では、ストッパー２の下側にすぐリング４が配置された如く表示されている。
上カム３は、このリング４（詳しくは、後述する、リング４のつば状部の下側のリブ状部４４）内に、摺動自在に内接して配置されている。
また、下カム６が、上カム３と一体的となるよう、上カム３と嵌め合わされている。
従って、リング４内を、上カム３と下カム６とが一体的となって、摺動する（詳しくは、後述するように、摺動しながら回転する）ようにされている。
【００２９】
リング４は、図６に示すように、略円筒形状の構造を有していると共に、その中間よりやや下側に、やや径の大きいつば状部４１を設けて、上部４２と下部４３とつば状部４１とからなる構造のものとされている。
リング４の下部４３の下側の周縁は、中心の空洞に向けてやや厚肉とした、いわばリブ状部４４とされている。
上記したように、リング４のつば状部４１の下側のリブ状部４４の内側及び底部に、上カム３が摺動自在に内接して配置されている。
なお、このリング４は、キャップ２０により固定されることから、上カム３と下カム６とが一体的となって、摺動しながら回転しても、ピストン部Ｘ１全体が回転するようなことはない。
【００３０】
図５に示すように、上カム３は、円筒形をした部材の下側の４方向を所定形状に切り欠いた切り欠き３１（上カム傾斜部３１ともいうことができる。）を有している。
図５において、符号３２は、上カムの上部周面に設けられている突状である。また、符号３３は、上カムの上端に設けられている、つば状部である。
【００３１】
一方、下カム６は、図８に示すように、上カム３を内包するように配置され、しかも上カム３よりやや大きめに形成されており、その内面に、上カム３の切り欠き３１の形状に対応する切り欠き６１（下カム傾斜部６１ともいうことができる。）を有しており、上カム３との間に、連続したおよそＮ字形となる軌道溝（カム溝）を形成するように一体的に構成されている。
図８（Ａ）〜（Ｆ）は、下カム６の一態様を示す図面である。図中、符号６２は、下カムの上端の内周面に設けられている凹部（切り溝ともいうことができる。））である。
この下カムに設けられている凹部６２は、上カム３に設けられている突状３２と嵌め合うことができるようにされており、これにより上下カムの位置決めが行われる。
なお、上カム３に設けられている突状３２と、下カム６に設けられている凹部６２とは、位置決めのためのものであるので、逆にしてもよい。即ち、上カム３に凹部を設け、下カムに突状を設けてもよい。
【００３２】
ここで「連続したおよそＮ字形となる軌道溝（カム溝）」とは、回転したときにこのような連続した溝が形成され、いわば上下にジグザグ状になって、およそＮ字形の溝が形成されていることを表わしている。
この形状について、「連続した」Ｎ字形となっているので、回転することができる。また、「およそＮ字形」となっており、きっちりＮ字形になっているばかりでなく、Ｎの頂点付近が、上方へやや飛び出た風になっていつつ、その飛び出た部分の左側が、円弧を描いた如き形状となっているものを含んでおり、この場合には、特に連続的にスムーズに回転できて、好ましい。
【００３３】
また、ピストン兼カムフォロワー５の下方の周面には、その長軸方向から垂直方向（外方向）へ向かって、突起５１が所定間隔を置いて４箇所に設けられている。なお、突起５１の設置数は、この４箇所に限定されるものではない。
この突起５１が、上カム３と下カム６との間に形成された、連続したおよそＮ字形の軌道溝（カム溝）に嵌合し、ピストン兼カムフォロワー５がカムフォロワー動作を行うように構成されている。
【００３４】
なお、ピストン兼カムフォロワー５の周面の上方から下方にかけて３箇所に、長軸方向に延びる、突状風のリブ５２が設けられている。
前記したように、ストッパー２の内周面には、凸部２２の内面も含めて、ピストン兼カムフォロワー５の周面に設けられている突状風のリブ５２に嵌合する凹部２１が、３箇所、縦方向（上下方向）にわたり備えられており、ピストン兼カムフォロワー５の回転が規制されている。
なお、ピストン兼カムフォロワー５の周面に設けられている突状風のリブ５２と、ストッパー２の内周面に設けられている凹部２１の設置数は、３箇所に限定されるものではなく、例えば２箇所であってもよいし、４箇所であってもよい。また、ピストン兼カムフォロワー５の周面に設けられている突状風のリブ５２と、ストッパー２の内周面に設けられている凹部２１とについては、これら形状のものだけでなく、回転を規制する形状（多角形等）であってもよい。
【００３５】
このように本発明に係るポンプディスペンサーＸには、主として、ストッパー２と上カム３とリング４とピストン兼カムフォロワー５と下カム６と、から構成されるピストン部Ｘ１における、ピストン兼カムフォロワー５の周面に設けられてカムフォロワー動作を行う突起５１と；突起５１が嵌合し、回転移動できるカム溝と；を備えた、一種のカム機構が備えられている。本発明では、これを「運動変換機構」と称している。
なお、運動変換機構について、「主として、」と規定しているのは、運動変換に直接関係する、上記突起５１と；カム溝；の他にも、この運動変換機構に間接的に関係するもの、例えばカム溝を構成する、上カム３や下カム６なども挙げられるからである。
【００３６】
本発明に係るポンプディスペンサーＸの組み立てについては、上カム３と下カム６とを組み立てると、上カム３に設けられている切り欠き３１（上カム傾斜部３１ともいうことができる。）と、下カム６に設けられている切り欠き６１（下カム傾斜部６１ともいうことができる。）との間に、ピストン兼カムフォロワー５の周面に設けられている突起５１が嵌合し、回転移動できる溝、つまりカム溝が形成される。
換言すると、カム溝とは、上カム３に設けられている切り欠き３１（上カム傾斜部３１ともいうことができる。）と、下カム６に設けられている切り欠き６１（下カム傾斜部６１ともいうことができる。）との間に形成され、ピストン兼カムフォロワー５の周面に設けられている突起５１が嵌合し、回転移動できる溝を指す。
このピストン兼カムフォロワー５の周面に設けられている突起５１と；この突起５１が嵌合し、回転移動できるカム溝を備えたものが、一種のカム機構といえる運動変換機構である。
【００３７】
このように本発明に係るポンプディスペンサーＸには、ストッパー２と上カム３とリング４とピストン兼カムフォロワー５と下カム６と、から構成されるピストン部Ｘ１における、ピストン兼カムフォロワー５の周面に設けられてカムフォロワー動作を行う突起５１と；突起５１が嵌合し、回転移動できるカム溝と；を備えた、一種のカム機構が備えられている。本発明では、これを「運動変換機構」と称している。
【００３８】
ピストン兼カムフォロワー５を、下カム６の上部から差し込み、下カム６に設けられている切り欠き６１（下カム傾斜部６１ともいうことができる。）に突き当て、上カム３は、リング４を介して差し込むことにより、ピストン兼カムフォロワー５の周面に４箇所程度設けられている突起５１が、上カム３と下カム６との間に形成されたカム溝（Ｎ字形となる軌道溝）に位置決めされる。
上カム３の上部周面に設けられている突状３２と、下カム６に設けられている凹部６２とは、嵌め合うことにより、回転方向の位置決めになっており、位置を合わせることにより、均等なカム溝が形成される。
このようにして上下カムの間に形成されたカム溝は、図１８〜図１９などからも分かるように、いわば上下にジグザグ状となっており（「上下に傾斜線を描いている」ということもできる。）、全体としてみると、およそ連続したＮ字形となる軌道溝を描いている。従って、ピストン兼カムフォロワー５を上下させると、カムの分割角度分だけ回転する機構になっている。なお、分割角度は一回のポンピングにより吸い上げられる内容物の空隙をノズルが回転移動できる角度に設定する必要がある。
ここで、「カムの分割角度分だけ回転する」というのは、例えばノズルヘッド１のポンピング（上下往復運動）に連動して、ピストン兼カムフォロワー５を一押し分押し下げたときに、その押し下げ分に相当する角度分、つまり分割角度分だけ、回転するものである。
【００３９】
ピストン兼カムフォロワー５には、長軸方向にリブ５２が形成されている。このリブ５２は、ストッパー２の凹部２１と嵌合し、ピストン兼カムフォロワー５の回転を止める役割を果たしている。
【００４０】
リング４とストッパー２は、嵌め殺し構造になっており、各々は自由に回転することができないようにされている。
【００４１】
上記したように、リング４のつば状部４１の下側のリブ状部４４内に、上カム３が摺動自在に内接して配置されており、上カム３はリング４内を摺動しながら自由に回転することができる。
このため、上カム３とリング４、特に上カム３のつば状部３３と、リング４のリング４のつば状部の下側のリブ状部４４の内側及び底部は、摺動性の良い材質のものとすることが好ましい。
従って、ノズルヘッド１のポンピング（上下往復運動）に連動して、ピストン兼カムフォロワー５を上下することにより、リング４から下の構造体が、カムの分割角度分だけ回転する仕組みになっている。
【００４２】
前記したように、ピストン部Ｘ１のうちのピストン兼カムフォロワー５は、ノズルヘッド１のポンピングに連動した上下往復運動（スラスト移動）を行うが、この上下往復運動を行いつつ、この上下往復運動（スラスト移動）は、上記した運動変換機構としての一種のカム機構により、回転運動に変換されることになる。
それ故、ノズルヘッド１のポンピングに連動して、ピストン兼カムフォロワー５が往復運動（スラスト移動）すると共に、ピストン兼カムフォロワー５の周面の下方に４箇所程度設けられている突起５１が、上カム３と下カム６との間に形成された、連続したおよそＮ字形の軌道溝（カム溝）に嵌合し、ピストン兼カムフォロワー５がカムフォロワー動作を行い、突起５１を支点として、ピストン部Ｘ１（回転する部位は部品3,6,7,8,9,10であり1,2,4,5,20は回転しない）は、連続したおよそＮ字形の軌道を描きながら回転運動することになる。
従って、ノズルヘッド１のポンピング（上下往復運動）に連動して、ピストン兼カムフォロワー５が上下往復運動（スラスト移動）を行うと共に、回転運動することになる。
【００４３】
なお、通常、「カム機構」とは、回転軸に取り付けて、回転運動を上下・前後運動などの直線運動に変換する装置を意味しているが、本発明においては、上下往復運動する軸に取付けて、上下往復運動を回転運動に変換する運動変換機構を、「カム機構」と称している。
【００４４】
本発明に係るポンプディスペンサーＸにおいては、このようなピストン部Ｘ１の下側には、ピストンバルブ７を包囲する形でシリンダ８が備えられている。即ち、シリンダ８には、摺動時自在にピストンバルブ７が内挿されている。さらに、このシリンダ８内において、ピストンバルブ７の下部には、前記したスプリング９が配設されていることから、このスプリング９によって、ピストンバルブ７と、ピストン部Ｘ１のうちのピストン兼カムフォロワー５と、さらにノズルヘッド１とは、下側から弾発され、常に上方に付勢されている。
【００４５】
さらに、シリンダ８の下側には、チューブ状の吸上げ管１０が備えられている。
吸上げ管１０は、容器本体の内壁側に向かう曲線状に形成されている。好ましくは、容器本体の角部へと向かう曲線状に形成するとよい。
【００４６】
従って、ノズルヘッド１のポンピングに連動して、ピストン兼カムフォロワー５が上下往復運動（スラスト移動）を行うと共に、突起５１をいわば支点として、ピストン部Ｘ１全体が回転し、さらにシリンダ８も一緒に回転し、さらに吸上げ管１０にも回転力が与えられ、吸上げ管１０が回転することになる。
【００４７】
なお、吸上げ管１０の先端部分（下端部分）の形状については、特に限定されず、水平に形成したり、やや斜めに形成したり、さらには図２０に示すような略スプーン状（匙状）に形成したりすることができる。
ここで図２０（Ａ）は、先端部分を略スプーン状（匙状）に形成した吸上げ管１０の正面図であり、図２０（Ｂ）はその背面図であり、図２０（Ｃ）はその平面図であり、図２０（Ｄ）はその底面図であり、図２０（Ｅ）は右側面図であり、図２０（Ｆ）は左側面図である。
図２０では、略スプーン状（匙状）が最も良く分かる吸上げ管１０の図面を正面図として作図している。このため、図２０は、同じ吸上げ管１０を示している図１２とは、各図面（正面図、平面図など）が異なっている。例えば、図２０（Ａ）の正面図は、図１２（Ｄ）の右側面図と対応している。
吸上げ管１０の先端部分（下端部分）を、このような略スプーン状（匙状）に形成することにより、より一層内容液を殆ど残すことなく吸上げることができる。
ボトルYの底部中央を盛り上げることにより形成される最低部は環状に形成され、その環状の断面形状とノズル先端（スプーン形状）を合わせることにより最後まで吸い上げることが可能になる
【００４８】
前記したように、ピストン部Ｘ１のうちのピストン兼カムフォロワー５は、スプリング９の弾発力を用いて、ノズルヘッド１のポンピングに連動した上下往復運動を行うようにされている。
このような上下往復運動は、通常のポンプディスペンサーにおけるものと同様であり、ピストンバルブ７の開閉動作が行われ、これによって、内容液の吸引、加圧、圧送が行われ、その結果、内容液の吸い上げ、吐出が行われる。
【００４９】
本発明に係るポンプディスペンサーＸを用いて、ノズルヘッド１のポンピングに連動した上下往復運動を行いつつ、この上下往復運動を回転運動に変換する様子を、図１８と図１９に基づいて、以下、説明する。図１８（Ａ）、（Ｂ）、（Ｃ）から図１９（Ａ）、（Ｂ）、（Ｃ）、（Ｄ）までの順序で、連続的に動く。但し、この図１８（Ａ）、（Ｂ）、（Ｃ）から図１９（Ａ）、（Ｂ）、（Ｃ）、（Ｄ）までの動きは、その一部であることは勿論であり、ノズルヘッド１のポンピングに連動して、連続的に動く。
【００５０】
図１８（Ａ）は、ノズルヘッド１が押し下げられる前のいわばポンピング開始前の状態を示している。
【００５１】
次に、ノズルヘッド１が押し下げられ始めると、この押し下げ力により、図１８（Ｂ）に示すように、ピストン兼カムフォロワー５が下降し、その周面の下方に設けられている突起５１が、上カム３と下カム６との間に形成された、連続したおよそＮ字形の軌道溝（カム溝）内を下側へと移動し始めるが、ピストン兼カムフォロワー５自体は固定され、回転しないようにされていることから、上カム３と下カム６との間に形成された、連続したおよそＮ字形の軌道溝（カム溝）を持ったピストン部Ｘ１全体が、連続したおよそＮ字形の軌道を描きながら回転し始めることになる。
【００５２】
ノズルヘッド１を次第に押し下げ、図１８（Ｃ）に示すように一番下まで押し下げると、さらにピストン部Ｘ１全体は、連続したおよそＮ字形の軌道を描きながら回転を続けることになる。
【００５３】
ノズルヘッド１が一番下まで押し下げられたので、今度は手を放すと、スプリング９の弾発力により、ピストン兼カムフォロワー５が上昇し始め、その弾発力で、ピストン兼カムフォロワー５が上昇し、図１９（Ａ）、（Ｂ）、（Ｃ）の順で示すように、引き続いて、ピストン部Ｘ１全体は、連続したおよそＮ字形の軌道を描きながら回転を続けることになる。
【００５４】
そして、ピストン兼カムフォロワー５が上昇できる最高点へ到達するまで、スプリング９の弾発力により、ピストン兼カムフォロワー５が上昇し、その弾発力で、ピストン兼カムフォロワー５が上昇し、図１９（Ｄ）に示すように、引き続き、ピストン部Ｘ１全体は、連続したおよそＮ字形の軌道を描きながら回転を続け、終了する。
【００５５】
以上が、１回のポンピング動作を示したものであるが、このようなポンピング動作を何回か連続して続けると、ピストン部Ｘ１全体は、連続したおよそＮ字形の軌道を描きながら回転を続ける。
【００５６】
なお、上記のように、ピストン部Ｘ１の下側には、ピストンバルブ７を包囲する形でシリンダ８が備えられており、さらにシリンダ８の下側には、吸上げ管１０が備えられている。
【００５７】
ピストンバルブ７は、逆止弁付きの弁機構を有しており、ノズルヘッド１のポンピングに連動した上下往復運動に応じて、吸上げ管１０を通じて内容液Ｌをシリンダ８内に吸い上げ、これをピストンバルブ７、さらにはピストン部Ｘ１（特にピストン兼カムフォロワー５）の順に、上方へと送り、最終的にノズルヘッド１から内容液Ｌを吐出する役割を果たしている。
このようなピストンバルブ７やシリンダ８は、通常のポンプディスペンサーに使用されているものを用いることができる。
なお、ピストンバルブ７やシリンダ８、ピストン兼カムフォロワー５、さらには吸上げ管１０などの内径を変えることにより、吐出流量を変えることができる。
【００５８】
ピストン部Ｘ１のうちのピストン兼カムフォロワー５における、ノズルヘッド１のポンピングに連動した上下往復運動は、シリンダ８に内包（内装）されているピストンバルブ７に伝えられ、さらにピストンバルブ７及びシリンダ８を介して、吸上げ管１０に伝えられ、吸上げ管１０から内容液Ｌが吸い上げられ、ピストンバルブ７を通じて、さらに上方へと圧送され、最終的にノズルヘッド１から、内容液Ｌの吐出が行われることになる。
【００５９】
以上のように、本発明に係るポンプディスペンサーＸは、基本的には、上から順に、ノズルヘッド１；ストッパー２と、上カム３と、リング４と、ピストン兼カムフォロワー５と、下カム６と、から構成されるピストン部Ｘ１；スプリング９を周囲に配設したピストンバルブ７を内挿しているシリンダ８；吸上げ管１０；から構成されており、それぞれ独自の部品として作製し、分解可能なものとしておくことができる。
【００６０】
本発明に係るポンプディスペンサーＸは、図１４〜図１６に示すように、キャップ（ベースキャップ）２０を用いて、容器本体Ｙの口部Ｙ１に取り付けられる。
キャップ２０は、市販品など、通常のポンプディスペンサーに使用されているものを用いることができるため、上記の説明では本発明に係るポンプディスペンサーＸの構成部品の中には含めていないが、このキャップ２０を本発明に係るポンプディスペンサーＸの構成部品として含めることもできる。
図２１は、このようなキャップ２０を含めたポンプディスペンサーの実施形態を示す正面図であり、図２２は、その分解説明図である。
【００６１】
キャップ（ベースキャップ）２０は、本発明に係るポンプディスペンサーＸを、容器本体Ｙの口部Ｙ１に取り付けるためのものであり、そのために、前記口部Ｙ１に形成されている雄ネジに螺合する雌ネジが、その内周面に形成されている。
キャップ（ベースキャップ）２０としては、通常のポンプディスペンサーに使用されているものを用いることができる。
図１３（Ａ）〜（Ｆ）には、キャップの一態様が示されている。
キャップ（ベースキャップ）２０は、通常、円筒形状をなしており、その内側に、本発明に係るポンプディスペンサーＸを挿入し、これを容器本体Ｙの口部Ｙ１に取り付けられるものであればよい。
【００６２】
以上の構成による本発明に係るポンプディスペンサーＸによれば、ノズルヘッド１のポンピングに連動して、吸上げ管１０が回転動作を行いながら内容液Ｌを吸上げることができることから、これを内容液Ｌが収容された容器本体Ｙ内に装着することにより、いかなる粘度の内容液の場合においても、特に高粘度の内容液を容器本体Ｙ内に収容した場合などにおいて、容器本体Ｙの内容液Ｌの残量が少なくなったときでも、内容液Ｌを殆ど残すことなく吸い上げ、ほぼ全量を使い切ることができる。
【００６３】
このような本発明に係るポンプディスペンサーを容器本体内に装着してなる容器を提供するのが、本発明の第２である。
【００６４】
即ち、本発明の第２は容器に関し、本発明の第１に示すポンプディスペンサーＸを、容器本体Ｙの口部Ｙ１に装着してなるものであるから、基本的には上記で説明したとおりである。
このような本発明に係る容器によれば、いかなる粘度の内容液Ｌの場合においても、ノズルヘッド１のポンピングに連動して、吸上げ管１０が回転動作を行いながら内容液Ｌを吸上げることができることから、特に高粘度の内容液を容器本体Ｙ内に収容した場合などにおいて、容器本体Ｙの内容液Ｌの残量が少なくなったときでも、内容液Ｌを殆ど残すことなく吸い上げ、ほぼ全量を使い切ることができる。
【００６５】
以上、本発明につき好適な形態例を挙げて種々説明してきたが、本発明はこの形態例に限定されるものではなく、本発明の精神を逸脱しない範囲内で多くの改変を施し得るのは勿諭のことである。
【産業上の利用可能性】
【００６６】
本発明に係るポンプディスペンサーと；これを容器本体内に装着した容器と；によれば、例えばシャンプーやリンスやコンディショナーなどで高粘度の内容液を容器本体に収容したときなど、いかなる内容液の場合においても、容器本体の内容液の残量が少なくなったときに、内容液を殆ど残すことなく、ほぼ全量を使い切ることができる。
従って、本発明は、化粧品分野をはじめとして、幅広い分野で利用することが期待される。
【符号の説明】
【００６７】
１  ノズルヘッド
１１  吐出口
１２  ノズルヘッドの頭部
２  ストッパー
２１  凹部
２２  凸部
２３  周縁部
２４  突状
３  上カム
３１  切り欠き（上カム傾斜部）
３２  突状
３３  つば状部
４  リング
４１  つば状部
４２  上部
４３  下部
４４  リブ状部
５  ピストン兼カムフォロワー
５１  突起
５２  リブ
５３  細径部
６  下カム
６１  切り欠き（下カム傾斜部）
６２  凹部
７  ピストンバルブ
８  シリンダ
９  スプリング
１０  吸上げ管
２０  キャップ
Ｘ  ポンプディスペンサー
Ｘ１  ピストン部
Ｙ  容器本体
Ｙ１  口部
【図１】
2018118774.tif 000003
【図２】
2018118774.tif 000004
【図３】
2018118774.tif 000005
【図４】
2018118774.tif 000006
【図５】
2018118774.tif 000007
【図６】
2018118774.tif 000008
【図７】
2018118774.tif 000009
【図８】
2018118774.tif 000010
【図９】
2018118774.tif 000011
【図１０】
2018118774.tif 000012
【図１１】
2018118774.tif 000013
【図１２】
2018118774.tif 000014
【図１３】
2018118774.tif 000015
【図１４】
2018118774.tif 000016
【図１５】
2018118774.tif 000017
【図１６】
2018118774.tif 000018
【図１７】
2018118774.tif 000019
【図１８】
2018118774.tif 000020
【図１９】
2018118774.tif 000021
【図２０】
2018118774.tif 000022
【図２１】
2018118774.tif 000023
【図２２】
2018118774.tif 000024